(57)【特許請求の範囲】
【請求項１】
除細動器であって、当該除細動器は、
第１の電極、
第２の電極、
前記第１と第２の電極に接続され、前記第１電極と前記２電極が患者の胸部に接触したとき、当該患者の第１の生体リズムの信号を取得し、前記第１の生体リズムの信号に応じて心臓のリズムの信号を提供する、読み出しモジュール、
第１のＵＳＢインターフェース、
前記第１のＵＳＢインターフェースに接続された電圧変換器であって、当該電圧変換器は、前記第１のＵＳＢインターフェースが携帯用電子機器に接続されたとき、前記第１のＵＳＢインターフェースを経由した前記携帯用電子機器からの第１電圧を前記第１の電圧より大きい第２電圧に変換する、電圧変換器、および
前記第１の電極と前記第２の電極、および前記電圧変換器に接続された刺激モジュールであって、前記第１の生体リズムの信号が前記患者に心不整脈があることを示したとき、前記第２の電圧に応じて前記第１の電極と前記第２の電極を介して電気ショックエネルギーを前記患者の胸部に提供する、刺激モジュール、
ＡＥＤアプリケーションを記憶するメモリ、
前記第１のＵＳＢインターフェース、前記読み出しモジュール、および前記刺激モジュールに接続された制御器であって、前記読み出しモジュールから前記心臓のリズムの信号を受信し、前記心臓のリズムの信号に基づいて前記患者に心不整脈があるかを判断する、制御器
を含み、
前記心不整脈が患者にあると判断したとき、前記制御器は、前記メモリに記憶されている前記アプリケーションに基づいて前記刺激モジュールを制御して前記患者に電気的な刺激エネルギーを提供する、
除細動器。
【請求項２】
前記刺激モジュールが前記患者の胸部に前記電気ショックエネルギーを提供した後、前記読み出しモジュールは、前記第１の電極と前記第２の電極を介して前記患者から第２の生体リズムの信号を再取得し、前記読み出しモジュールは、前記第２の生体リズムの信号に応じて、前記第２の心臓のリズムの信号を提供し、前記制御器は、前記第２の心臓のリズムの信号に応じて前記電気ショック手順を行い続けるかどうかを判断し、前記第２の心臓のリズムの信号が前記患者の心臓のリズムが正常であることを示しているとき、前記制御器は、前記電気ショック手順を行うことを停止する、
請求項１に記載の除細動器。
【請求項３】
当該除細動器は、前記電気ショック手順の実行状態を表示する表示インターフェースを更に含む、
請求項１に記載の除細動器。
【請求項４】
当該除細動器は、前記電気ショックエネルギーが前記患者の胸部に提供されたとき、携帯電話と通信して、心臓のリズムの信号を前記携帯電話に提供し、緊急救助ユニットに緊急連絡するか、または患者の位置を提供するブルートゥースモジュール（登録商標）を更に含む
請求項１に記載の除細動器。
【請求項５】
前記携帯用電子機器は、移動電源ユニットである、
請求項４に記載の除細動器。
【発明の詳細な説明】
【技術分野】
【０００１】
本発明は、除細動器（Ｄｅｆｉｂｒｉｌｌａｔｏｒ）に関し、特に、自動体外式除細動器（ＡＥＤ：Ａｕｔｏｍａｔｅｄ  Ｅｘｔｅｒｎａｌ  Ｄｅｆｉｂｒｉｌｌａｔｏｒ）システムに関するものである。
【背景技術】
【０００２】
一般的に、心臓病は主要な死因である。例えば、心臓の電気系統の問題に起因する不整脈が心臓のリズムの異常（不整脈）となる。最も深刻な不整脈は、心室細動（ＶＦ：Ｖｅｔｒｉｃｕｌａｒ  Ｆｉｂｒｉｌｌａｔｉｏｎ）であり、心臓が血液を送り出すのを突然停止することがある。このため、患者は非常に短い時間で意識を失う。また、無脈性心室頻拍（ＶＴ：Ｖｅｎｔｒｉｃｕｌａｒ  Ｔａｃｈｙｃａｒｄｉａ）と除脈も突然の心停止に至ることがある。
【０００３】
通常、突然の心停止は予測ができないものである。これらが起ったとき、患者の心臓は心停止し、息が止まり、意識を失う。この事象が５分以上続いた場合、患者の生存率は５０％未満に低下する。従って、死亡と永続的な損傷を防止するために、即時の心肺蘇生（ＣＰＲ：Ｃａｒｄｉｏｐｕｌｍｏｎａｒｙ  Ｒｅｓｕｓｃｉｔａｔｉｏｎ）と除細動が必要である。
【０００４】
従って、持ち運びが容易で使い易い除細動器が望まれている。
【発明の概要】
【発明が解決しようとする課題】
【０００５】
本発明は、持ち運びが容易で使い易い自動体外式除細動器（ＡＥＤ）およびそのシステムを提供する。
【課題を解決するための手段】
【０００６】
本発明によれば、除細動器であって、当該除細動器は、第１の電極、第２の電極、前記第１と第２の電極に接続され、前記第１電極と前記２電極が患者の胸部に接触したとき、当該患者の第１の生体リズムの信号を取得し、前記第１の生体リズムの信号に応じて心臓のリズムの信号を提供する、読み出しモジュール、第１のＵＳＢインターフェース、前記第１のＵＳＢインターフェースに接続された電圧変換器であって、当該電圧変換器は、前記第１のＵＳＢインターフェースが携帯用電子機器に接続されたとき、前記第１のＵＳＢインターフェースを経由した前記携帯用電子機器からの第１電圧を前記第１の電圧より大きい第２電圧に変換する、電圧変換器、および前記第１の電極と前記第２の電極、および前記電圧変換器に接続された刺激モジュールであって、前記第１の生体リズムの信号が前記患者に心不整脈があることを示したとき、前記第２の電圧に応じて前記第１の電極と前記第２の電極を介して電気ショックエネルギーを前記患者の胸部に提供する、刺激モジュール、ＡＥＤアプリケーションを記憶するメモリ、前記第１のＵＳＢインターフェース、前記読み出しモジュール、および前記刺激モジュールに接続された制御器であって、前記読み出しモジュールから前記心臓のリズムの信号を受信し、前記心臓のリズムの信号に基づいて前記患者に心不整脈があるかを判断する、制御器を含み、
前記心不整脈が患者にあると判断したとき、前記制御器は、前記メモリに記憶されている前記アプリケーションに基づいて前記刺激モジュールを制御して前記患者に電気的な刺激エネルギーを提供する、
除細動器が提供される。
【０００７】
好ましくは、前記刺激モジュールが前記患者の胸部に前記電気ショックエネルギーを提供した後、前記読み出しモジュールは、前記第１の電極と前記第２の電極を介して前記患者から第２の生体リズムの信号を再取得し、前記読み出しモジュールは、前記第２の生体リズムの信号に応じて、前記第２の心臓のリズムの信号を提供し、前記制御器は、前記第２の心臓のリズムの信号に応じて前記電気ショック手順を行い続けるかどうかを判断し、前記第２の心臓のリズムの信号が前記患者の心臓のリズムが正常であることを示しているとき、前記制御器は、前記電気ショック手順を行うことを停止する。
【０００８】
詳細な説明は、添付の図面に関連づけて以下の実施形態に説明される。
【図面の簡単な説明】
【０００９】
【図１】本発明の実施形態に係る、自動体外式除細動器（ＡＥＤ）システムを示している。
【図２】本発明のもう１つの実施形態に係る、ＡＥＤシステムを示している。
【図３】本発明のもう１つの実施形態に係る、ＡＥＤシステムを示している。
【図４】本発明のもう１つの実施形態に係る、ＡＥＤシステムを示している。
【発明を実施するための形態】
【００１０】
添付の図面とともに以下の本発明の様々な実施形態の詳細な説明を検討することで、本発明はより完全に理解できる。
以下の説明は、本発明を実施する最良の形態が開示されている。この説明は、本発明の一般原理を例示する目的のためのもので本発明を限定するものではない。本発明の範囲は、添付の請求の範囲を参考にして決定される。
【００１１】
図１は、本発明の実施形態に係る、自動体外式除細動器（ＡＥＤ）システム１００を示している。
ＡＥＤシステム１００は、除細動器１１０および携帯用電子機器１２０を含む。実施形態では、携帯用電子機器１２０は、一般のユニバーサル携帯電話であり、通信インターフェース、たとえば、ユニバーサルシリアルバス（ＵＳＢ）インターフェース１５０、例えばマイクロＵＳＢ規格に準拠するコンセントを有する。
また、除細動器１１０は、電極１３０Ａ、電極１３０Ｂ、およびＵＳＢインターフェース１４０、例えば、マイクロＵＳＢ規格に準拠するプラグを含む。従って、除細動器１１０のＵＳＢインターフェース１４０が携帯用電子機器１２０のＵＳＢインターフェース１５０に接続されたとき、除細動器１１０は、携帯用電子機器１２０（即ち、ユニバーサル移動電話）のアクセサリとして機能することができる。
言い換えれば、ＡＥＤシステム１００では、携帯用電子機器１２０は、マスタ装置であり、除細動器１１０は、スレーブ装置である。従って、患者が肺に痛みを感じたとき、操作者は、除細動器１１０の電極１３０Ａと１３０Ｂを心臓の近くの患者の胸部の皮膚に貼ることができ、除細動器１１０が患者の心臓のリズムの信号を測定することができる。
次に、除細動器１１０は、ＵＳＢ伝送を介して心臓のリズムの信号を携帯用電子機器１２０に伝送し、分析と判断をする。同時に、携帯用電子機器１２０は、ＵＳＢインターフェース１４０と１５０を介して除細動器１１０を急速充電することができる。携帯用電子機器１２０が患者の心臓のリズムの信号に不整脈の心室細動があることを示していると判断した場合、携帯用電子機器１２０は、除細動器１１０を制御し、電気ショックの手順を行う。電気ショックの手順中、除細動器１１０は、電気ショックエネルギーを電極１３０Ａと１３０Ｂを介して患者の胸部に提供し、除細動を行う。
【００１２】
図２は、本発明のもう１つの実施形態に係る、ＡＥＤシステム２００を示している。
ＡＥＤシステム２００は、除細動器２１０および携帯用電子機器２２０を含む。上述のように、携帯用電子機器２２０は、一般のユニバーサル携帯電話であり、除細動器２１０は、ユニバーサル移動電話のアクセサリであることができる。
実施形態では、携帯用電子機器２２０は、プロセッサ２５２、ＵＳＢインターフェース２５４、パワーモジュール２５６、無線通信モジュール２５８、ユーザーインターフェース２６０、メモリ２６２、およびアンテナ２６４を含む。除細動器２１０は、制御器２３２、読み出しモジュール２３４、刺激モジュール２３６、電圧変換器２３８、ＵＳＢインターフェース２４０、電極２４２Ａと２４２Ｂ、および表示インターフェース２４４を含む。
図２では、除細動器２１０のＵＳＢインターフェース２４０が携帯用電子機器２２０のＵＳＢインターフェース２５４に接続されたとき、携帯用電子機器２２０は、パワーモジュール２５６を用いて、ＵＳＢインターフェース２５４と２４０を介して電圧信号Ｖｉｎを電圧変換器２３８に提供する。
次に、電圧変換器２３８は、電圧信号Ｖｉｎに応じて高電圧信号ＶＨと低電圧信号ＶＬを発生する。
図２では、電圧変換器２３８は高電圧信号ＶＨを刺激モジュール２３６に提供し、電圧変換器２３８は、動作電圧として低電圧信号ＶＬを制御器２３２、読み出しモジュール２３４、および表示インターフェース２４４を提供する。
１つの実施形態では、高電圧信号ＶＨは、電圧信号Ｖｉｎより大きく、電圧信号Ｖｉｎは、低電圧信号ＶＬより大きい。また、１つの実施形態では、電圧変換器２３８は、高電圧信号ＶＨを発生するチャージポンプを含む。読み出しモジュール２３４と刺激モジュール２３６は、共に電極２４２Ａと電極２４２Ｂに接続される。電極２４２Ａと電極２４２Ｂが患者の胸部に接触したとき、読み出しモジュール２３４は、電極２４２Ａと電極２４２Ｂを介して患者の生体リズムの信号ＳＩＮを取得し、生体リズムの信号ＳＩＮに応じて心臓のリズムの信号ＳＨＲを制御器２３２に提供する。次に、制御器２３２は、心臓のリズムの信号ＳＨＲをＵＳＢインターフェース２４０を介して携帯用電子機器２２０に送信する。
【００１３】
図２では、携帯用電子機器２２０のＵＳＢインターフェース２５４は、除細動器２１０のＵＳＢインターフェース２４０に接続されたとき、携帯用電子機器２２０では、プロセッサ２５２は、パワーモジュール２５６を制御し、ＵＳＢインターフェース２５４を介して電圧信号Ｖｉｎを提供し、除細動器２１０を起動させる。
また、携帯用電子機器２２０では、プロセッサは、ＵＳＢインターフェース２５４を介して除細動器２１０から心臓のリズムの信号ＳＨＲを受信し、心臓のリズムの信号ＳＨＲをメモリ２６２に保存する。
次に、プロセッサ２５２は、心臓のリズムの信号ＳＨＲが正常かどうかを分析および判断する。即ち、心臓のリズムの信号ＳＨＲに応じて不整脈の心室細動が患者にあるかどうかを判断する。患者に不整脈があると判断した場合、プロセッサ２５２は、メモリ２６２に保存されたＡＥＤアプリケーション（ＡＥＤ ＡＰＰ）に応じて、除細動器２１０を制御し、電気ショック手順を行う。電気ショック手順が行われたとき、プロセッサ２５２は、ＵＳＢインターフェース２５４を介してイネーブル信号ＳＥＮを提供する。
次に、除細動器２１０では、イネーブル信号ＳＥＮに応じて、制御器２３２は、刺激モジュール２３６を制御し、高電圧信号ＶＨに応じて電気ショックエネルギーＥを発生し、電極２４２Ａと電極２４２Ｂを介して電気ショックエネルギーＥを患者に提供し、患者に電気的除細動治療を行う。
１つの実施形態では、除細動器２１０は、複数の電極ペアを有し、除細動器２１０は、第１のペアの電極（例えば、電極２４２Ａと電極２４２Ｂ）を用いて、患者の生体リズムの信号ＳＩＮを取得し、第２のペアの電極（図示せず）を用いて、電気ショックエネルギーＥを患者に提供する。
次に、除細動器２１０は、電極２４２Ａと電極２４２Ｂを介して患者の生体リズムの信号ＳＩＮを再取得し、生体リズムの信号ＳＩＮに応じて、心臓のリズムの信号ＳＨＲを携帯用電子機器２２０に提供する。
次に、携帯用電子機器２２０では、プロセッサ２５２は、再取得した心臓のリズムの信号ＳＨＲに応じて回復したかどうかを判断する。患者が正常な心臓のリズムを有していると判断した場合、プロセッサ２５２は、電気ショック手順を停止する。逆に、患者がまだ不整脈を有する場合、プロセッサ２５２は、除細動器２１０の制御を続け、患者が回復するまで電気ショック手順を行う。
また、電気ショック手順中、携帯用電子機器２２０のプロセッサ２５２は、無線通信モジュール２５８とアンテナ２６４を介して、緊急救助ユニット（例えば、病院または消防署）に緊急連絡し、救急員と通話する。また、プロセッサ２５２は、無線通信モジュール２５８とアンテナ２６４を介して患者の位置を緊急救助ユニットに提供することもできる。電気ショック手順が行われたとき、プロセッサ２５２は、ユーザーインターフェース２６０を介して電気ショック手順の実行状態を表示することができる。
１つの実施形態では、ユーザーインターフェース２６０は、タッチパネルであり、電気ショック手順の実行状態を表示し、ユーザー命令を受ける。例えば、電気ショック手順中、操作者は、ユーザーインターフェース２６０を介して全自動モードまたは半自動モードを選ぶことができる。
全自動モードでは、プロセッサ２５２は、患者の生体リズムの信号ＳＩＮを自動的に検出し、患者の心臓のリズムが正常になるまで患者に電気ショック治療を提供する。
半自動モードでは、プロセッサ２５２は、ユーザーインターフェース２６０を介して操作者からの命令を受けた後、患者に電気ショック治療を提供する。全自動モードまたは半自動モードでは、プロセッサ２５２は、ユーザーインターフェース２６０の心臓のリズムの信号ＳＨＲの判断を表示する。従って、操作者は、判断に応じて後続の治療（例えば電気ショックを行うまたは病院に搬送する）を行うことができる。
【００１４】
図３は、本発明のもう１つの実施形態に係る、ＡＥＤシステム３００を示している。ＡＥＤシステム３００は、除細動器３１０および携帯用電子機器３２０を含む。実施形態では、携帯用電子機器３２０は、ＵＳＢインターフェース３５２を含む移動電源ユニットである。除細動器３１０は、制御器３３２、読み出しモジュール３３４、刺激モジュール３３６、電圧変換器３３８、ＵＳＢインターフェース３４０、電極３４２Ａと３４２Ｂ、および表示インターフェース３４４を含む。携帯用電子機器３２０のＵＳＢインターフェース３５２が除細動器３１０のＵＳＢインターフェース３４０に接続されたとき、携帯用電子機器３２０は、ＵＳＢインターフェース３５２を介して電圧信号Ｖｉｎを除細動器３１０に提供し、除細動器３１０を起動させる。
上述のように、電圧変換器３３８は、ＵＳＢインターフェース３４０から電圧信号Ｖｉｎに応じて高電圧信号ＶＨと低電圧信号ＶＬを提供する。
電極２４２Ａと電極２４２Ｂが患者の胸部に接触したとき、読み出しモジュール３３４は、電極３４２Ａと電極３４２Ｂを介して患者の生体リズムの信号ＳＩＮを取得し、生体リズムの信号ＳＩＮに応じて心臓のリズムの信号ＳＨＲを制御器３３２のメモリに保存する。
次に、制御器３３２は、心臓のリズムの信号ＳＨＲが正常であるかどうかを分析および判断する。即ち、心臓のリズムの信号ＳＨＲに応じて不整脈の心室細動が患者にあるかどうかを判断する。患者に不整脈があると判断した場合、制御器３３２は、メモリ３３３に保存されたＡＥＤアプリケーションに応じて、電気ショック手順を行う。従って、制御器３３２は、刺激モジュール３３６を制御し、高電圧信号ＶＨに応じて電気ショックエネルギーＥを発生し、電極２４２Ａと電極２４２Ｂを介して電気ショックエネルギーＥを患者に提供し、患者に電気的除細動治療を行う。また、電気ショック手順が行われたとき、制御器３３２は、表示インターフェース３４４を介して電気ショック手順の実行状態を表示することができる。
１つの実施形態では、制御器３３２は、患者の生体リズムの信号を連続的に検出し、患者の心臓のリズムが正常になるまで患者に電気ショック治療を提供することができる。
【００１５】
図４は、本発明のもう１つの実施形態に係る、ＡＥＤシステム４００を示している。ＡＥＤシステム４００は、除細動器４１０、携帯用電子機器４２０、およびユニバーサル携帯電話４８０（例えば、図１の携帯用電子機器１２０）を含む。実施形態では、携帯用電子機器４２０は、ＵＳＢインターフェース４５２を含む移動電源ユニットである。図３の除細動器３１０に比べ、除細動器４１０は、ブルートゥースモジュール４４６とアンテナ４４８を更に含み、除細動器４１０は、ブルートゥースモジュール４４６とアンテナ４４８を介してユニバーサル携帯電話４８０と通信する。
実施形態では、ユニバーサル携帯電話４８０は、マスタ装置であり、除細動器４１０は、スレーブ装置である。携帯用電子機器４２０のＵＳＢインターフェース４５２が除細動器４１０のＵＳＢインターフェース４４０に接続されたとき、携帯用電子機器４２０は、ＵＳＢインターフェース４５２を介して電圧信号Ｖｉｎを除細動器４１０に提供し、除細動器３１０を起動させる。
次に、電圧変換器４３８は、電圧信号Ｖｉｎに応じて高電圧信号ＶＨと低電圧信号ＶＬを発生する。上述のように、電極２４２Ａと電極２４２Ｂが患者の胸部に接触したとき、読み出しモジュール４３４は、電極４４２Ａと電極４４２Ｂを介して患者の生体リズムの信号ＳＩＮを取得し、生体リズムの信号ＳＩＮに応じて心臓のリズムの信号ＳＨＲを制御器４３２に提供する。
次に、制御器４３２は、ブルートゥースモジュール４４６とアンテナ４４８を介して心臓のリズムの信号ＳＨＲをユニバーサル携帯電話４８０に送信する。ユニバーサル携帯電話４８０は、そのブルートゥースモジュールとアンテナを介して除細動器４１０から心臓のリズムの信号ＳＨＲを受け、心臓のリズムの信号ＳＨＲをそのメモリに保存する。次に、ユニバーサル携帯電話４８０は、心臓のリズムの信号ＳＨＲが正常であるかどうかを分析および判断する。即ち、心臓のリズムの信号ＳＨＲに応じて不整脈の心室細動が患者にあるかどうかを判断する。患者に不整脈があると判断した場合、ユニバーサル携帯電話４８０は、除細動器４１０を制御し、そのメモリに保存されたＡＥＤアプリケーションに応じて、電気ショック手順を行う。電気ショック手順が行われたとき、ユニバーサル携帯電話４８０は、ブルートゥース通信によってイネーブル信号ＳＥＮを除細動器４１０に提供する。
次に、除細動器４１０では、イネーブル信号ＳＥＮに応じて、制御器４３２は、刺激モジュール４３６を制御し、高電圧信号ＶＨに応じて電気ショックエネルギーＥを発生し、電極２４２Ａと電極２４２Ｂを介して電気ショックエネルギーＥを患者に提供し、患者に電気的除細動治療を行う。
１つの実施形態では、除細動器４１０は、複数のペアの電極を有することができ、除細動器４１０は、第１のペアの電極（例えば、電極４４２Ａと４４２Ｂ）を用いて、患者の生体リズムの信号ＳＩＮを取得し、第２のペアの電極（図示せず）を用いて、電気ショックエネルギーＥを患者に提供する。
次に、除細動器４１０は、電極４４２Ａと電極４４２Ｂを介して患者の生体リズムの信号ＳＩＮを再取得し、生体リズムの信号ＳＩＮに応じて、心臓のリズムの信号ＳＨＲをユニバーサル携帯電話４８０に再提供する。
次に、ユニバーサル携帯電話４８０は、再取得した心臓のリズムの信号ＳＨＲに応じて回復したかどうかを判断する。患者が正常な心臓のリズムを有していると判断した場合、電気ショック手順は停止する。逆に、患者がまだ不整脈を有する場合、ユニバーサル携帯電話４８０は、除細動器４１０の制御を続け、患者が回復するまで電気ショック手順を行う。また、電気ショック手順中、ユニバーサル携帯電話４８０は、緊急救助ユニットに緊急連絡し、救急員と通話する。また、ユニバーサル携帯電話４８０は、患者の位置を緊急救助ユニットに提供することもできる。
電気ショック手順が行われたとき、ユニバーサル携帯電話４８０は、そのモニタを介して電気ショック手順の実行状態を表示することができる。また、電気ショック手順中、操作者は、除細動器４１０を制御し、ユニバーサル携帯電話４８０を介して全自動モードまたは半自動モードを操作することができる。
【００１６】
本発明の実施形態に応じて、ユニバーサル携帯電話、および心臓のリズムを読み込み、電気ショックエネルギーを出力することができる除細動器がＡＥＤシステム１００を形成するのに用いられる。実施形態では、除細動器（図１の１１０、図２の２１０、図３の３１０、および図４の４１０）は、内蔵電池を必要としなくてもよい。ユニバーサル携帯電話、または移動電源ユニットは、ＵＳＢインターフェースを介して除細動器を起動させることができる。本発明の実施形態では、ユニバーサル携帯電話、移動電源ユニット、および除細動器は、全て薄型軽量であるため、携帯可能であり、患者の生命の安全保障を向上させる。
【００１７】
本発明は、実施例の方法及び望ましい実施の形態によって記述されているが、本発明は開示された実施形態に限定されるものではない。逆に、当業者には自明の種々の変更及び同様の配置をカバーするものである。よって、添付の請求の範囲は、最も広義な解釈が与えられ、全てのこのような変更及び同様の配置を含むべきである。
【符号の説明】
【００１８】
１００、２００、３００、４００  自動体外式除細動器（ＡＥＤ）システム
１１０、２１０、３１０、４１０  除細動器
１２０、２２０、３２０、４２０  携帯用電子機器
１３０、１３０Ｂ、２４２Ａ、２４２Ｂ、３４２Ａ、３４２Ｂ、４４２Ａ、４４２Ｂ  電極
１４０、１５０、２４０、２５４、３４０、３５２、４４０、４５２  ユニバーサルシリアルバス（ＵＳＢ）インターフェース
２３２、３３２、４３２  制御器
２３４、３３４、４３４  読み出しモジュール
２３６、３３６、４３６  刺激モジュール
２３８、３３８、４３８  電圧変換器
２４４、３４４、４４４  表示インターフェース
２５２  プロセッサ
２５６  パワーモジュール
２５８  無線通信モジュール
２６０  ユーザーインターフェース
２６２、３３３、４３３  メモリ
２６４、４４８  アンテナ
４４６  ブルートゥースモジュール
４８０  ユニバーサル携帯電話
Ｅ  電気ショックエネルギー
ＳＥＮ  イネーブル信号
ＳＨＲ  心臓のリズムの信号
ＳＩＮ  生体リズムの信号
Ｖｉｎ  電圧信号
ＶＨ  高電圧信号
ＶＬ  低電圧信号
【図１】
0006023834.tif 000002
【図２】
0006023834.tif 000003
【図３】
0006023834.tif 000004
【図４】
0006023834.tif 000005